(57)【特許請求の範囲】
【請求項１】
端末（１０００）のディスプレイスクリーン状態の制御方法において、
前記端末（１０００）はディスプレイスクリーンと、信号発信部（１１１）と、第１の信号受信部（１１２）と、第２の信号受信部（１１３）とを備え、前記第２の信号受信部（１１３）と前記信号発信部（１１１）との間の距離は、前記第１の信号受信部（１１２）と前記信号発信部（１１１）との間の距離よりも大きい、
前記制御方法は、
前記信号発信部（１１１）が検出信号を発信することと、
前記第２の信号受信部（１１３）が物体（７０）によって形成された検出信号の反射信号を受信することと、
前記第２の信号受信部（１１３）によって受信された反射信号の強度に基づいて、前記端末（１０００）と前記物体（７０）との間の距離状態を判定することと、
前記距離状態に基づいてディスプレイスクリーン状態を制御することとを、含み、
さらに、
前記第２の信号受信部（１１３）によって受信された反射信号の強度に基づいて、前記端末（１０００）と前記物体（７０）との間の距離状態を判定することは、
前記第２の信号受信部（１１３）によって受信された反射信号の強度が第１の低しきい値よりも小さいかどうかを判定することと、
前記端末（１０００）と前記物体（７０）との間の距離状態が遠離状態にあると判定することとを含み、ここで、遠離状態は、前記反射信号の強度が前記第１の低しきい値よりも小さいことと定義され、
距離状態に基づいてディスプレイスクリーン状態を制御することは、前記遠離状態に基づいてディスプレイスクリーンをオンにすることを含み、
さらに、
前記反射信号の強度が前記第１の低しきい値よりも小さい場合、前記端末（１０００）と前記物体（７０）との間の距離状態が遠離状態にあると判定することは、
前記第２の信号受信部（１１３）によって受信された反射信号の強度が前記第１の低しきい値よりも小さい場合、前記第１の信号受信部（１１２）が前記物体（７０）によって形成された検出信号の反射信号を受信することと、
前記第１の信号受信部（１１２）によって受信された反射信号の強度が第１の高しきい値よりも大きいかどうかを判定することと、ここで、第１の高しきい値は前記第１の低しきい値よりも大きい、
前記第１の信号受信部（１１２）によって受信された反射信号の強度が前記第１の高しきい値よりも大きい場合、前記端末（１０００）と前記物体（７０）との間の距離状態が遠離状態にあると判定することとを、含む、
ことを特徴とするディスプレイスクリーン状態の制御方法。
【請求項２】
前記反射信号の強度が前記第１の低しきい値よりも小さい場合、前記端末（１００００）と前記物体（７０）との間の距離状態が遠離状態にあると判定することは、
前記第１の信号受信部（１１２）によって受信された反射信号の強度が前記第１の高しきい値以下である場合、前記第１の信号受信部（１１２）の低しきい値を第２の低しきい値に修正することと、ここで、第２の低しきい値は前記第１の低しきい値よりも小さい、
前記第１の信号受信部（１１２）によって受信された反射信号の強度が前記第２の低しきい値よりも小さいかどうかを判定することと、
前記第１の信号受信部（１１２）によって受信された反射信号の強度が前記第２の低しきい値よりも小さい場合、前記第１の信号受信部（１１２）および前記第２の信号受信部（１１３）が、前記物体（７０）によって形成された検出信号の反射信号を再び受信することとを、さらに含む、
ことを特徴とする請求項１に記載のディスプレイスクリーン状態の制御方法。
【請求項３】
前記第２の信号受信部（１１３）によって受信された反射信号の強度に基づいて、前記端末（１０００）と前記物体（７０）との間の距離状態を判定することは、
前記第２の信号受信部（１１３）によって受信された反射信号の強度が第２の高しきい値よりも大きいかどうかを判定することと、
前記端末（１０００）と前記物体（７０）との間の距離状態が近接状態にあると判定することとを含み、ここで、近接状態は、前記反射信号の強度が前記第２の高しきい値よりも大きいことと定義され、
前記距離状態に基づいてディスプレイスクリーン状態を制御することは、前記近接状態に基づいてディスプレイスクリーンをオンにすることを含む、
ことを特徴とする請求項１に記載のディスプレイスクリーン状態の制御方法。
【請求項４】
ディスプレイスクリーンと第１の信号受信部（１１２）とを備える端末（１０００）のディスプレイスクリーン状態の制御装置であって、
前記制御装置は、
検出信号を発信するように構成される信号発信部（１１１）と、
物体（７０）によって形成された検出信号の反射信号を受信するように構成される第２の信号受信部（１１３）と、
前記第２の信号受信部（１１３）によって受信された反射信号の強度に基づいて、前記端末（１０００）と前記物体（７０）との間の距離状態を判定するように構成される判定ユニット（７０３）と、
前記距離状態に基づいてディスプレイスクリーンの状態を制御するように構成される制御ユニット（７０４）とを、備え、
前記判定ユニット（７０３）は、
前記第２の信号受信部（１１３）によって受信された反射信号の強度が第１の低しきい値よりも小さいかどうかを判定するように構成される判定サブユニット（７０３）と、
前記第２の信号受信部（１１３）によって受信された反射信号の強度が前記第１の低しきい値よりも小さい場合、前記端末（１０００）と前記物体（７０）との間の距離状態が遠離状態にあると確定するように構成される確定サブユニット（７０３）と、
前記遠離状態に基づいてディスプレイスクリーンをオンにするように構成される制御ユニット（７０４）とを、さらに含み、
ここで、前記第２の信号受信部（１１３）と前記信号発信部（１１１）との間の距離は、前記第１の信号受信部（１１２）と前記信号発信部（１１１）との間の距離よりも大きい、
前記確定サブユニット（７０３）はさらに、
前記第２の信号受信部（１１３）によって受信された反射信号の強度が前記第１の低しきい値よりも小さい場合、前記物体（７０）によって形成された検出信号の反射信号を受信し、
前記第１の信号受信部（１１２）によって受信された反射信号の強度が第１の高しきい値よりも大きいかどうかを確定し、ここで、第１の高しきい値は前記第１の低しきい値より大きい、
前記端末（１０００）と前記物体（７０）との間の距離状態が遠離状態にあると確定するように構成され、ここで、遠離状態は、前記第１の信号受信部（１１２）によって受信された反射信号の強度が前記第１の高しきい値よりも大きいことと定義される、
ことを特徴とするディスプレイスクリーン状態の制御装置。
【請求項５】
前記確定サブユニット（７０３）はさらに、
前記第１の信号受信部（１１２）によって受信された反射信号の強度が前記第１の高しきい値以下である場合、前記第１の信号受信部（１１２）の低しきい値を第２の低しきい値に修正し、ここで、第２の低しきい値は前記第１の高しきい値よりも小さい、
前記第１の信号受信部（１１２）によって受信された反射信号の強度が前記第２の低しきい値よりも小さいかどうかを確定し、
前記第１の信号受信部（１１２）によって受信された反射信号の強度が前記第２の低しきい値よりも小さい場合、前記物体（７０）によって形成された検出信号の反射信号を再び受信するように、構成される、
ことを特徴とする請求項４に記載の制御装置。
【請求項６】
前記制御装置は、
前記第２の信号受信部（１１３）によって受信された反射信号の強度が第２の高しきい値よりも大きいかどうかを判定するように構成される前記判定サブユニット（７０３）と、
前記反射信号の強度が前記第２の高しきい値よりも大きい場合、前記端末（１０００）と前記物体（７０）との間の距離状態が近接状態にあると確定するように構成される前記確定サブユニット（７０３）と、
前記近接状態に基づいてディスプレイスクリーンをオンにするように構成される前記制御ユニット（７０４）とを、さらに含む、
ことを特徴とする請求項４に記載の制御装置。
【請求項７】
ディスプレイスクリーンと、
物体（７０）によって形成された検出信号の反射信号を受信するように構成される第１の信号受信部（１１２）と、
検出信号を発信するように構成される信号発信部（１１１）と、
前記物体（７０）によって形成された検出信号の反射信号を受信するように構成される第２の信号受信部（１１３）と、
前記第２の信号受信部（１１３）によって受信された反射信号の強度に基づいて、端末（１０００）と前記物体（７０）との間の距離状態を判定するように構成される判定ユニット（７０３）と、
前記距離状態に基づいて前記ディスプレイスクリーンの状態を制御するように構成される制御ユニット（７０４）とを、備え、
前記判定ユニット（７０３）はさらに、
前記第２の信号受信部（１１３）によって受信された反射信号の強度が第１の低しきい値よりも小さいかどうかを判定するように構成される判定サブユニット（７０３）と、
前記端末（１０００）と前記物体（７０）との間の距離状態が遠離状態にあると確定するように構成される確定サブユニット（７０３）と、ここで、遠離状態は、前記第２の信号受信部（１１３）によって受信された反射信号の強度が前記第１の低しきい値よりも小さい、
前記遠離状態に基づいて前記ディスプレイスクリーンをオンにするように構成される制御ユニット（７０４）とを、含み、
ここで、前記第２の信号受信部（１１３）と前記信号発信部（１１１）との間の距離は、前記第１の信号受信部（１１２）と前記信号発信部（１１１）との間の距離よりも大きい、
前記確定サブユニット（７０３）はさらに、
前記第２の信号受信部（１１３）によって受信された反射信号の強度が前記第１の低しきい値よりも小さい場合、前記物体（７０）によって形成された検出信号の反射信号を受信し、
前記第１の信号受信部（１１２）によって受信された反射信号の強度が第１の高しきい値よりも大きいかどうかを確定し、ここで、第１の高しきい値は前記第１の低しきい値よりも大きい、
前記第１の信号受信部（１１２）によって受信された反射信号の強度が前記第１の高しきい値よりも大きい場合、前記端末（１０００）と前記物体（７０）との間の距離状態が遠離状態にあると確定するように、構成される、ことを特徴とする端末（１０００）装置。
【請求項８】
前記確定サブユニット（７０３）はさらに、
前記第１の信号受信部（１１２）によって受信された反射信号の強度が前記第１の高しきい値以下である場合、前記第１の信号受信部（１１２）の低しきい値を第２の低しきい値に修正し、ここで、第２の低しきい値は前記第１の高しきい値よりも小さい、
前記第１の信号受信部（１１２）によって受信された反射信号の強度が前記第２の低しきい値よりも小さいかどうかを確定し、
前記第１の信号受信部（１１２）によって受信された反射信号の強度が前記第２の低しきい値よりも小さい場合、前記物体（７０）によって形成された検出信号の反射信号を再び受信するように、構成される、
ことを特徴とする請求項７に記載の端末（１０００）装置。
【請求項９】
前記端末（１０００）装置は、
前記第２の信号受信部（１１３）によって受信された反射信号の強度が第２の高しきい値より大きいかどうかを判定するように構成される前記判定サブユニット（７０３）と、
前記端末（１０００）と前記物体（７０）との間の距離状態が近接状態にあると確定するように構成される前記確定サブユニット（７０３）と、ここで、近接状態は、前記反射信号の強度が前記第２の高しきい値よりも大きい、
前記近接状態に基づいてディスプレイスクリーンをオンにするように構成される制御ユニット（７０４）とを、さらに備える、
ことを特徴とする請求項７に記載の端末（１０００）装置。
【発明の詳細な説明】
【関連出願の相互参照】
【０００１】
本出願は、「グァンドン  オッポ  モバイル  テレコミュニケーションズ  コーポレーション  リミテッド」が２０１７年１月２０日に提出された、「ディスプレイスクリーン状態の制御方法および制御装置」と題する中国特許出願第２０１７１００４７８９４．３号の優先権を主張する。上記出願の全開示は参照により本明細書に組み込まれる。
【技術分野】
【０００２】
本開示は端末の技術分野に関し、より詳しく、ディスプレイスクリーン状態の制御方法および制御装置に関する。
【背景技術】
【０００３】
端末技術の急速な発展に伴い、インテリジェント端末はますます普及しており、人々の生活の中で重要なデバイスとなっています。人々はモバイル端末を用いて学んだり、娯楽を求めたりしている。
【０００４】
インテリジェント端末のディスプレイスクリーンのオン・オフ状態を制御するために、インテリジェント端末と外部物体（７０）との間の近接状態または遠離状態の判定は、インテリジェント端末の必要な機能である。インテリジェント端末は、赤外線発信部と赤外線受信部を使用してインテリジェント端末間の近接状態と遠離状態を検出する。赤外線発信部が赤外線を放射し、赤外線が物体によって反射され反射光が形成される。赤外線受信部が反射光を受信すると、反射光の強度に基づいて、インテリジェント端末の近接状態と遠離状態とが判定される。
【０００５】
ところが、実際にインテリジェント端末を使用する場合、赤外線発信部と赤外線受信部との距離が長いと、外部の物体がインテリジェント端末に近づいたときに赤外線受信部への反射光を受信できなくなる。赤外線発信部と赤外線受信部は互いに近接しすぎており、インテリジェント端末は外部の物体から遠く離れておると、赤外線発信部に放射された赤外線の一部は、インテリジェント端末内の赤外線の回折のために赤外線受信部に直接入ることができるので、赤外線受信部は検出に関するバックグランド値が大きい。外部の物体が赤外線受信部から遠く離れているため、反射光が赤外線受信部に入射した後に赤外線受信部で検出される反射光の強度変化が小さい。赤外線受信部の感度は非常に低いため、エラーや検出漏れが発生し、インテリジェント端末のディスプレイスクリーンのオン・オフ状態を正確に制御できない。
【発明の概要】
【０００６】
本開示の一実施形態は、ディスプレイスクリーン状態の制御方法および制御装置を提供し、それによって、モバイル端末におけるディスプレイスクリーン状態の精度が改善される。
【０００７】
本開示の実施形態は、端末のディスプレイスクリーン状態を制御する方法を提供する。端末は、ディスプレイスクリーンと、信号発信部と、第１の信号受信部と、第２の信号受信部とを備える。第２の信号受信部と信号発信部との間の距離は、第１の信号受信部と信号発信部との間の距離よりも大きい。この方法は以下の動作を含む。信号発信部が検出信号を発信する。第２の信号受信部が、物体により形成された検出信号の反射信号を受信する。受信された反射信号の強度に基づいて端末と物体との間の距離状態を判定される。距離状態に基づき、ディスプレイスクリーン状態が制御される。
【０００８】
本開示の一実施形態は、さらに端末のディスプレイスクリーン状態を制御する装置を提供し、中には端末はディスプレイスクリーンと第１の信号受信部とを備える。装置は以下の要素を有する。信号発信部は検出信号を発信するように構成される。物体によって形成された検出信号の反射信号を受信するように構成された第２の信号受信部。判定ユニットは、第２の信号受信部によって受信された反射信号の強度に基づいて端末と物体との間の距離状態を判定するように構成される。制御ユニットは、距離状態に基づいてディスプレイスクリーンの状態を制御するように構成されている。
【０００９】
本開示の一実施形態はまた、ディスプレイスクリーンと、第１の信号受信部と、信号発信部と、第２の信号受信部と、判定ユニットと、制御ユニットとを備える端末装置を提供する。第１の信号受信部は、物体によって形成された検出信号の反射信号を受信するように構成される。信号発信部は検出信号を発信するように構成される。第２の信号受信部は、物体によって形成された検出信号の反射信号を受信するように構成される。判定ユニットは、第２の信号受信部によって受信された反射信号の強度に基づいて、端末と物体との間の距離状態を判定するように構成されている。制御ユニットは、距離状態に基づいてディスプレイスクリーンの状態を制御するように構成されている。
【００１０】
本開示によるディスプレイスクリーン状態の制御方法および制御装置では、信号発信部は検出信号を発信する。信号発信部から離れている信号受信部は反射信号を受信する。反射信号の強度に基づいて、端末と外部物体との間の距離状態が判定される。この方法では、距離状態に基づいてディスプレイスクリーン状態を制御する。 信号発信部から離れた信号受信部が端末と物体との間の距離状態を正確に検出するので、この方法では端末のディスプレイスクリーン状態を制御する。
【図面の簡単な説明】
【００１１】
【図１】図１は本開示の一実施形態におけるモバイル端末の例示的な構造図である。
【図２】図２は本開示の一実施形態におけるパネルアセンブリの第１の構造図を示す。
【図３】図３は本開示の一実施形態におけるパネルアセンブリの第２の構造図を示す。
【図４】図４は本開示の一実施形態におけるパネルアセンブリの第３の構造図を示す。
【図５】図５は本開示の一実施形態におけるパネルアセンブリの第４の構造図を示す。
【図６】図６は本開示の一実施形態におけるパネルアセンブリの第５の構造図を示す。
【図７】図７は本開示の一実施形態におけるパネルアセンブリの第６の構造図を示す。
【図８】図８は本開示の一実施形態における、ディスプレイスクリーンをオンにする方法の例示的なフローチャートである。
【図９】図９は本開示の別の実施形態におけるディスプレイスクリーンをオンにする方法の例示的なフローチャートである。
【図１０】図１０は本開示の一実施形態におけるディスプレイスクリーンをオフにする方法の例示的なフローチャートである。
【図１１】図１１は本開示の一実施形態におけるディスプレイスクリーンをオンにする制御装置の例示的な構造図である。
【図１２】図１２は本開示の別の実施形態におけるディスプレイスクリーンをオンにする制御装置のさらに別の例示的な構造図である。
【図１３】図１３は本開示のさらに別の実施形態におけるディスプレイスクリーンをオンにする制御装置のさらに別の例示的な構造図である。
【図１４】図１４は本開示の一実施形態における、ディスプレイスクリーンをオフにする制御装置の例示的な構造図である。
【発明を実施するための形態】
【００１２】
以下の実施形態は、適切なコンピューティング環境における本開示の特定の実施可能な実施形態を例示するための添付の図面を参照する。注意すべきことは、例示的に説明された実施形態は、本開示を説明し理解するように構成されているが、本開示はそれに限定されることではない。
【００１３】
本開示の説明において、用語「中央」、「縦方向」、「横方向」、「長さ」、「幅」、「厚さ」、「上」、「下」、「前」、「後」、「左」、「右」、「垂直」、「水平」、「頂」、「底」、「内」、「外」、「時計回り」、「反時計回り」などの方向、その他の指示された方向または位置関係は、図面に示される方向または位置関係に基づいている。参照される部品または要素が特定の向きを有することを意味または示唆するのではなく、むしろ本開示の明細書および説明の単純化のために過ぎなく、本開示の上記の方向は限定として理解することはできない。そして、用語「第１」および「第２」は説明のために使用されることに過ぎなく、相対的な重要性を意味もしくは示唆する、または示される技術的特徴の数を暗示的に示すと理解することはできない。このため、「第１」、「第２」によって限定された特徴は、一つまたは複数の前記特徴を明示的にまたは暗黙的に有することができる。本開示の明細書において、別に明記しない限り、「複数」は、二つまたは二つ以上を意味する。
【００１４】
本開示の説明において、別に明示的に述べられ定義されていない限り、「装着」、「連絡」、および「接続」という用語はコ広義に理解されるべきである。例えば、接続装置は、分離不可に接続、分離可能に接続、機械的に接続、電気的に接続、相互に通信、直接接続、または中間媒体を介して間接的に接続されることが可能である。２つの要素の間の相互作用関係は、２つの要素の相互作用関係であり得る。当業者であれば、本開示における用語の特定の意味は特定の状況に従って理解することができる。
【００１５】
本開示では、特に明記しない限り、第１の特徴が第２の特徴の「上」または「下」に配置されている場合、第１の特徴は第１の特徴と直接接触することができる。また、第１および第２の特徴は、直接接触していないが他の特徴を介して互いに接触している第１および第２の特徴も含み得る。第１の特徴が第２の特徴の「上」にあるということは、第１の特徴が第２の特徴の真上または斜め上方に配置されていることを意味する。また、第１の特徴が第２の特徴の「下」にあるということは、第１の特徴が第２の特徴の真下または斜め下方に配置されていることを意味してもよく、或いは、第１の特徴の水平レベルが第２特徴の水平レベルよりも低いと意味するに過ぎない。
【００１６】
以下の開示において、様々な実施形態または実施例が提供され、本開示の異なる構造が実現される。本開示の開示を簡略化するために、以下、特定の実施例の構成要素及び配置が述べられる。注意すべきことは、これらは例に過ぎず、本発明を制限すると意図しない。また、異なる実施例において、参照番号及び／又は参照文字が繰り返し用いられてもよい。この繰り返しは、簡略化及び明瞭のためのものであり、様々な実施例及び／又は配置の間の関係を意味しない。さらに、本開示は、様々な具体的なプロセス及び材料の例を提供するが、当業者にとって、他のプロセス及び／又は材料の応用を想到することができる。
【００１７】
図１は、本開示の一実施形態によるモバイル端末１０００の例示的構造図である。モバイル端末１０００は、携帯電話やタブレット型コンピュータなどの電子機器であるが、モバイル端末１０００はこれらに限定されない。
【００１８】
モバイル端末１０００はパネルアセンブリ１００とハウジング２００とを有する。パネルアセンブリ１００は、ハウジング２００上に配置され、且つハウジング２００に接続される。パネルアセンブリ１００は、電話受信部をさらに備える。パネルアセンブリ１００の非表示領域１００ａは、電話受信部が音を出せるための開口部３００を有する。モバイル端末１０００はさらに指紋識別ユニット４００を有する。指紋識別ユニット４００は、パネルアセンブリ１００の非表示領域１００ａに配置されている。パネルアセンブリ１００の表示領域１００ｂは、画像の表示またはユーザのタッチ操作のために使用される。
【００１９】
一実施形態において、パネルアセンブリ１００は、タッチパネルアセンブリ、パネルアセンブリ、または異なる機能を有するモバイル端末パネルアセンブリから選択されてよい。
【００２０】
図２は、本開示の一実施形態によるパネルアセンブリ１００の第１の構造図を示す。パネルアセンブリ１００は、センサユニット１１と、カバープレートアセンブリ１２と、制御回路１３とを備える。センサユニット１１は、カバープレートアセンブリ１２の内側に設置され、カバープレートアセンブリ１２と間隔を空けて配置されている。制御回路１３は、センサユニット１１とカバープレートアセンブリ１２とともに通信可能に連絡している。例えば、制御回路１３は主回路基板であり、センサユニット１１は主回路基板上に固定配置されている。
【００２１】
一実施形態では、センサユニット１１は、第１の信号発信部１１１、第１の信号受信部１１２、および第２の信号受信部１１３を備える。
【００２２】
第１の信号発信部１１１は外部に信号を発信する。第１の信号発信部１１２および第２の信号受信部１１３は、外部の物体によって反射された反射信号を受信するように構成される。
【００２３】
一実施形態では、信号は、赤外線およびレーザなどの光信号とすることができる。信号は、超音波などの音波信号でもあり得る。例えば、信号は光信号として規定され、信号発信部は発光部として規定され、信号受信部は受光部として規定される。
【００２４】
本開示の実施形態では、第１の発光部１１１（例えば赤外線発信部）は検出光を放射するために用いられ、さらに検出光の波長は８５０ｎｍより長い。例えば、第１発光部１１１は、赤外発光ダイオード（ＬＥＤ）である。
【００２５】
一実施形態では、第１の受光部１１２（例えば、赤外線受信部）は、検出光が遮蔽物７０で反射され形成される近接光信号を受信するために使われる。例えば、通信中に、モバイル端末が人間の顔に近づいているまたは顔から離れているというシーンにおいて、遮蔽物７０は人間の顔として規定される。
【００２６】
これに対して、第２の受光部１１３（例えば、赤外線受光部）は、検出光が遮断物体７０で反射され形成される遠離光信号を受信するために使われる。
【００２７】
近接光信号とは、遮蔽物７０からの反射検出光を受光する第１受光部１１２が第１発光部１１１と近接していることを意味する。遠離光信号とは、遮蔽体７０からの反射検出光を受光する第２受光部１１３が第１発光部１１１から遠く離れていることを意味する。
【００２８】
第１受光部１１２と第１発光部１１１との間の距離は、第２受光部１１３と第１発光部１１１との間の距離よりも小さい。カバープレートアセンブリ１２が遮蔽物７０に遠いとき、第２受光部１１３の光強度変化の検出はより高感度である。カバープレートアセンブリ１２が遮断物７０に近いとき、第１の受光部１１２の光強度変化の検出はより高感度である。したがって、モバイル端末１０００は、第１の受光部１１２および第２の受光部１１３が受光した反射検出光の光強度に基づいて、モバイル端末１００が遮蔽物７０に近いか遠いかを判定する。よって、モバイル端末１０００の判定精度およびユーザエクスペリエンスが改善される。 
一実施形態では、第１の発光部１１１および第１の受光部１１２は、ツーインワンチップになる第１の一体型化チップに一体化することができる。別の実施形態では、第１の発光部１１１と第１の受光部１１２は、２つの別々の独立したチップで配置されている。 
一実施形態では、カバープレートアセンブリ１２は、カバープレート１２１と、カバープレート１２１の内表面に配置された第１の付着層１２２と、第１の付着層１２２のカバープレート１２１との反対側の表面に配置された第２の付着層１２３とを有する。第１の付着層１２２は第２の付着層１２３を完全に覆っておる。第１の付着層１２２と第２の付着層１２３は付着層になる。
【００２９】
一実施形態では、第１の付着層１２２および第２の付着層１２３は、モバイル端末１０００の内部構造部材および第２の付着層１２３を隠すように構成される。即ち、ユーザはカバープレート１２１の外側を見るとき、第１の付着層１２２を見えるが、第２の付着層１２３を見えない。
【００３０】
一実施形態では、カバープレート１２１は透明なガラス製カバープレートである。例えば、カバープレート１２１は、サファイア等の材料からなるガラス製のカバープレートである。
【００３１】
一実施形態では、付着層は、インクレイヤまたは他の材料で形成されたコーティングとしてもよい。例えば、付着層はインクレイヤであり、第１の付着層は透光性のインクレイヤであり、そして第２の付着層は遮光性のインクレイヤである。 
一実施形態では、透光性インクレイヤ１２２は、光を透過させる透明インクレイヤである。インクレイヤの光透過率は、異なる要求に従って設定することができる。例えば、透光性インクレイヤ１２２の可視光（例えば、波長５５０ｎｍの可視光）の透過率は、２〜１０％の範囲内である。近接センサの光信号（例えば、波長８５０ｎｍの赤外線）の透過率は、８０％以上である。 
一実施形態では、透光性インクレイヤ１２２は複数の透光性インクサブレイヤ１２２１を有する。例えば、透光性インクレイヤ１２２は３つの透光性インクサブレイヤ１２２１を有する。透光性インクサブレイヤ１２２１は、それぞれ白インクでスプレーまたは印刷することによって形成される。注意すべきなのは、透光性インクレイヤ１２２は、ホワイトインク以外に異なる審美的要求に従って他の色に設計してもよい。
【００３２】
一実施形態において、遮光インクレイヤ１２３は、光を遮断できるインクレイヤであり、大部分の光線を遮断することができる。遮光インクレイヤ１２３は、黒インクでスプレー又は印刷することにより形成される。遮光インクレイヤ１２３は、第１の領域と第２の領域とを有する。光線に対する第１の領域の透過率は、光線に対する第２の領域の透過率よりも大きい。 例えば、第１の領域は光透過領域であり、大部分の光線を透過するが、第２の領域は遮光領域であり、大部分の光線を遮蔽する。
【００３３】
透光性インクレイヤ１２２は、遮光性インクレイヤ１２３上の第１の領域を覆っている。
【００３４】
光線に対する透光性インクレイヤ１２２の透過率は、遮光性インクレイヤ１２３よりも大きい。
【００３５】
実施形態において、透過率は、赤外線の透過率、レーザーの透過率、および可視光の透過率から選択されてよい。
【００３６】
実施形態では、第１の光通過孔１２４および第２の光通過孔１２５が遮光性インクレイヤ１２３上に形成され、光を透過させる。第１の光通過孔１２４と第２の光通過孔１２５を第１の領域と定義する。遮光インクレイヤ１２３のうち第１の光通過孔１２４および第２の光通過孔１２５以外の領域を第２の領域と定義する。なお、第１の光通過孔１２４および第２の光通過孔１２５に透光性材料を充填してもよく、透光性材料の色が透光性インクレイヤ１２２の色と同じである。第１の光通過孔１２４は、第１の発光孔１２４１と第１の受光孔１２４２とを備える。第１の発光部１１１は、第１の発光孔１２４１と対向して配置され、第１の発光孔１２４１に介して検出光を外部に出射する。第１の受光部１１２は、第１の受光孔１２４２に対向して配置され、反射された検出光を第１の受光孔１２４２で受光する。
【００３７】
一実施形態において、第２の光通過孔１２５は第２の受光部１１３に対向して配置され、第２の受光部１１３は第２の光通過孔１２５に介して反射検出光を受光する。
【００３８】
第１の発光孔１２４１、第１の受光孔１２４２、および第２の光通過孔１２５の形状は、実際の要求に応じて設定してよい。例えば、形状は、円形、長方形、および角丸長方形から選択されてよい。一実施形態では、第１の受光部１１２および第２の受光部１１３の光信号の受光能力を高めるため、およびセンサの感度を向上させるために、第１の受光孔１２４２の開口面積および第２受光孔１２４２の開口面積を大きくし、第２の光通過孔１２５は、第１発光孔１２４１の開口面積よりも大きい。
【００３９】
一実施形態では、図３に示すように、第１の光通過孔１２４はより大きい孔であり、第１の発光部１１１および第１の受光部１１２に使用される。
【００４０】
一実施形態では、制御回路１３は、第１の発光部１１１、第１の受光部１１２、および第２の受光部１１３と通信する。第１の発光部１１１、第１の受光部１１２および第２の受光部１１３は、すべて主回路基板上に固定配置されている。
【００４１】
例えば、携帯電話がパネルアセンブリ１００を使用する場合、第１の受光部１１２と第１の発光部１１１との間の距離は、第２の受光部１１３と第１の発光部１１１との間の距離と異なる。第１の受光部１１２は、第１の発光部１１１に近接している。したがって、パネルアセンブリ１００が遮断物７０に近接し、第２の受光部１１３が第の１発光部１１１から離れる場合、第２の受光部１１３が受光する反射光が少なくなり、距離の変化による光強度の変化はが小さい。パネルアセンブリ１００が遮断物７０から離れて反射された光が小さい場合、第１の発光部１１１から発射された光は内部反射によって第１の受光部１１２に直接入射するので、第１の受光部１１２は光強度の大きなバックグランド値を受光してしまう。さらに、カバープレートアセンブリ１２が遮断物７０から離れており、反射光の光強度が小さいため、第１の受光部１１２が受光する反射光の光強度の変化は目立たない。また、第２の受光部１１３と第１の発光部１１１との間の距離は、第１の受光部１１２と第１の発光部１１１との間の距離よりも大きいので、第１の発光部１１１の発光は内部反射により第２の受光部１１３に入射されるのが少ないため、内部反射による第２受光部１１３の光強度のバックグランド値は小さい。そのため、第２の受光部１１３に入射する反射光の光強度の変化は比較的大きい。
【００４２】
携帯電話の通信プロセスにおいて、制御回路１３は、検出光を発射する第１の発光部１１１を制御し、第１の受光部１１２と第２の受光部１１３に受光された反射光の強度に応じてパネルアセンブリ１００が実装されたモバイル端末が人の顔に近づいているか遠く離れているかを判断する。モバイル端末が人の顔から遠く離れていると判定された場合、カバープレートアセンブリ１２は制御され、ディスプレイスクリーンはオンにされる。 モバイル端末が人の顔に近づいていると判定された場合、カバープレートアセンブリ１２が制御され、ディスプレイスクリーンがオフにされる。
【００４３】
第１の受光部１１２に受光された光強度が第１の近接しきい値に達するとき、または第２の受光部に受光された光強度が第２の近接しきい値に達するとき、モバイル端末が人間の顔に近づいていると判定される。第１の受光部１１２に受光された光強度が第１の遠離しきい値に達したとき、および第２の受光部１１３に受光された光強度が第２遠離しきい値に達したとき、モバイル端末が人間の顔から遠く離れていると判断される。
【００４４】
図４は、本開示の一実施形態によるパネルアセンブリ１００の第３の構造図を示す。 パネルアセンブリ１００は、センサユニット２１、カバープレートアセンブリ２２、および制御回路２３を備える。センサユニット２１は、カバープレートアセンブリ２２の内表面の一方側に配置されている。センサユニット２１とアセンブリ２２とは間隔を置いて配置されている。制御回路２３は、センサユニット２１およびカバープレートアセンブリ２２と通信可能に連絡している。例えば、制御回路２３は主回路基板であり、センサユニット２１は主回路基板上に固定配置されている。
【００４５】
センサユニット２１は、第１の発光部２１１と、第１の受光部２１２と、第２の受光部２１３と、第２の発光部２１４と、第１の周囲輝度センサ２１５と、第２の周囲輝度センサ２１６とを具備する。
【００４６】
一実施形態では、センサユニット２１は回路基板を備える。回路基板には、第１の発光部２１１、第１の受光部２１２、第２の受光部２１３、第２の発光部２１４、第１の周囲輝度センサ２１５、および第２の周囲輝度センサ２１６が配置されている。
【００４７】
一実施形態では、第１の発光部２１１および第２の発光部２１４は、波長が８５０ｎｍ以上の不可視光（例えば、赤外光）を発射するために使用される。
【００４８】
一実施形態では、第１の発光部２１１および第２の発光部２１４は赤外線発光部である。第１の受光部２１２および第２の受光部２１３は、赤外線受光部である。第１の受光部２１２は、検出光を遮蔽物で反射され形成された近接光信号を受光するために使われる。第２の受光部２１３は、検出光が遮蔽物で反射され形成された遠離光信号を受光するために使われる。第１の受光部２１２と第１の発光部２１１との間の距離は、第２の受光部２１３と第１の発光部２１１との間の距離よりも小さい。近接光信号というのは、遮断物からの反射された検出光を受光する第１の受光部２１２が第１の発光部に近いことを意味する。遠離光信号というのは、遮蔽物からの反射検出光を受光する第２の受光部２１３が第１の発光部２１１に遠いことを意味する。
【００４９】
第１の受光部２１２と第１の発光部２１１との間の距離は、第２の受光部２１３と第１の発光部２１１との間の距離よりも小さい。よって、第１の発光部２１１が検出光発信部として機能し、パネルアセンブリ１００が遮断物から遠く離れている場合、第２の受光部２１３の光強度の変化検出はより高感度である。パネルアセンブリ１００が遮断物に近接しているとき、第１の受光部２１２の光強度の変化検出はより高感度である。第２の発光部２１４が検出光発信部として機能し、パネルアセンブリ１００が遮断物から遠く離れているとき、第１の受光部２１２の光強度の変化検出はより高感度である。パネルアセンブリ１００が遮断物に近接しているとき、第２の受光部２１３の光強度の変化検出はより高感度である。
【００５０】
一実施形態では、制御回路２３は、第１の発光部２１１および第２の発光部２１４のうちの一方を検出光発信部として選択する。一般に、第１の発光部２１１は検出光の発光部として機能し、第１の発光部２１１が異常または損傷していることを制御回路２３が検出すると、第２の発光部２１４が検出光発信部として機能する。
【００５１】
実施形態では、第１の発光部２１１、第１の受光部２１２、および第１の周囲輝度センサ２１５は、スリーインワンチップになる一体型チップに一体化することができる。第２の発光部２１４、第２の受光部２１３、および第２の周囲輝度センサ２１６は、別のスリーインワンチップになる他の一体型チップに一体化することができる。
【００５２】
実施形態において、図５に示すように、センサユニット２１は、第１の発光部２１１と、第１の受光部２１２と、第２の受光部２１３と、第２の周囲輝度センサ２１６とを備える。第１の発光部２１１と、第１の受光部２１２と、第２の受光部２１３と、第２の周囲輝度センサ２１６が回路基板に配置されている。
【００５３】
一実施形態では、第１の発光器２１１および第１の受光器２１２は、ツーインワンチップになる一体型チップに一体化することができる。別の実施形態では、第２の受光器２１３および第２の周囲輝度センサ２１６は、別のツーインワンチップになる別の一体型チップに一体化することができる。２つのツーインワンチップは、間隔を置いて回路基板に配置されている。
【００５４】
２つのツーインワンチップ間の距離は、２ミリメートルから１２ミリメートルの範囲内である。この距離は、2つのツーインワンチップの幾何学的中心間の距離である。
【００５５】
一実施形態では、カバープレートアセンブリ２２は、カバープレート２２１と、カバープレート２２１の内表面上の透光性インクレイヤ２２２と、透光性インクレイヤ２２２のカバープレート２２１との反対側の表面上に配置された遮光インクレイヤ２２３とを有する。透光性インクレイヤ２２２と遮光性インクレイヤ２２３とでインクレイヤになる。
【００５６】
一実施形態では、透光性インクレイヤ２２２は、複数の層の透光性インクサブレイヤ２２２１を有する。例えば、透光性インクレイヤ２２２は、３つの透光性インクサブレイヤ２２２１を有する。 透光性インクサブレイヤ２２２１は、白インクでスプレーまたは印刷することによって形成される。注意すべきなのは、透光性インクレイヤ２２２は、異なる審美的要求に従って白インク以外の他の色に設計することができる。
【００５７】
一実施形態では、遮光インクレイヤ２２３は、黒インクでスプレーまたは印刷することによって形成することができる。遮光インクレイヤ２２３には、第１の光通過孔２２４と第２の光通過孔２２５が形成されている。
【００５８】
一実施形態では、遮光インクレイヤ２２３上の透光性インクレイヤ２２は透明インクレイヤである。インクレイヤの光透過率は、異なる要求に従って設定することができる。例えば、透光性インクレイヤ２２２の可視光（例えば、波長５５０ｎｍの可視光）の透過率は、２〜１０％の範囲内である。近接センサの光信号（例えば、波長８５０ｎｍの赤外線）の透過率は、８０％以上である。
【００５９】
図４に示すように、第１の光通過孔２２４は、第１の発光孔２２４１と第１の受光孔２２４２とを有する。第１の発光部２１１は、第１の発光孔２２４１と対向し、第１の発光孔２２４１を介して検出光を外部に出射する。第１の受光部２１２および第１の周囲輝度センサ２１５は、第１の受光孔２２４２と対向している。第１の受光部２１２は、第１の受光孔２２４２を介して検出光の反射光を受光する。第１の周囲輝度センサー２１５は、第１の受光孔２２４２を介して周囲光の強度を検出する。
【００６０】
図４に示すように、第２の光通過孔２２５は、第２の発光孔２２５１と第２の受光孔２２５２とを有する。第２の発光部２１４は、第２の発光孔２２５１と対向し、第２の発光孔２２５１を介して検出光を外部に出射する。第２の受光部２１３および第２の周囲輝度センサ２１６は、第２の受光孔２２５２と対向している。第２の受光部２１２は、第２の受光孔２２５２を介して検出光の反射光を受光する。第２の周囲輝度センサー２１６は、第２の受光孔２２５２を介して周囲光の強度を検出する。
【００６１】
一実施形態では、図６に示すように、第１の光通過孔２２４はより大きい孔であり、このより大きい孔は、第１の発光部２１１、第１の受光部２１２、および第１の周囲輝度センサ２１５に使われる。
【００６２】
一実施形態では、第２の光通過孔２２５はより大きな孔であり、このより大きな孔は、第２の発光部２１４、第２の受光部２１３、および第２の周囲輝度センサ２１６に使われる。
【００６３】
例えば、携帯電話機がパネルアセンブリ１００を使用するとき、制御回路２３は第１の発光体２１１を検出発光体として選択し、第２の発光体２１４はアイドル状態である。
【００６４】
一実施形態では、図７に示すように、カバープレートアセンブリ２２は、カバープレート２２１と、カバープレート２２１の内表面に配置された透光性インクレイヤ２２２とのみを備える。
【００６５】
一実施形態では、透光性インクレイヤ２２２は特定のインクをスプレーまたは印刷することによって形成される。例えば、特定のインクは、赤外線インク（ＩＲインク）であり得る。赤外線に対するＩＲインクの透過率は８０％以上であるため、ほとんどの赤外線は光透過性インクレイヤ２２２を通過することができる。ＩＲインクの外観は黒インクである。
【００６６】
機能領域は、透光性インクレイヤ２２２上の第２の周囲輝度センサ２１６に対応する位置に形成されてもよい。周囲光を透過させられるインクが機能領域内にスプレーまたは印刷される。機能領域が周囲光を通過させられるために使用されることで、第２周囲輝度センサ２１６は周囲輝度を検出できるようになる。
【００６７】
本開示の実施形態はさらに、ディスプレイスクリーン状態を制御する方法に関する。ディスプレイスクリーン状態を制御する方法は、端末と外部物体との間の距離状態に応じてディスプレイスクリーンの状態を制御する。 距離状態は遠離状態と近接状態を含む。ディスプレイスクリーンの状態は、オン状態とオフ状態を含む。
【００６８】
ディスプレイスクリーンの状態を制御する方法として、ディスプレイスクリーンをオンにする方法とディスプレイスクリーンをオフにする方法とがある。ディスプレイスクリーンをオンにする方法は、端末と外部物体とが遠離状態にあるときに端末のディスプレイスクリーンをオンにするように構成されている。ディスプレイスクリーンをオフにする方法は、端末と外部物体とが近接状態にあるときに端末のディスプレイスクリーンをオフにするように構成される。
【００６９】
図８に示すように、ディスプレイスクリーンをオンにする方法は、以下の動作ブロックを含む。
【００７０】
ブロックＳ５１０において、ディスプレイスクリーンがオフ状態にあるとき、信号発信部は検出信号を外部に発信する。
【００７１】
端末はディスプレイスクリーンを備える。端末のディスプレイスクリーンがオフ状態のとき、端末は、検出信号を外部に発信するように信号発信部を制御する。例えば、通信プロセスにおいて、端末はユーザの顔に近接しているとき、端末のディスプレイスクリーンがオフの状態にあり、端末は、信号発信部を制御して検出信号を外部に発信させる。
【００７２】
ブロックＳ５２０において、第２の信号受信部は、外部物体によって形成された検出信号の反射信号を受信する。
【００７３】
一実施形態では、信号発信部に発信された検出信号が外部物体と接触すると、外部物体が検出信号を反射し反射信号が形成される。第２の信号受信部は反射信号を連続的に受信する。第２の信号受信部は信号発信部から遠く離れた信号受信部である。
【００７４】
ブロックＳ５３０において、本方法は、第２の信号受信部に受信された反射信号の強度が第１の低しきい値より小さいかどうかを判定する。
【００７５】
一実施形態では、第２の信号受信部に対し、低しきい値および高しきい値を端末で設定することができる。低しきい値が第１の低しきい値である。低しきい値および高しきい値は信号強度値であり得る。第２の信号受信部の異なるタイプにより、低しきい値及び高しきい値は異なってもよい。例えば、第２の信号受信部が８ビット受信チップである場合、低しきい値は７５であり、高しきい値は２５６である（即ちチップの受信レンジ）。
【００７６】
第２の信号受信部が反射信号を受信した後、端末は受信された反射信号の強度を低しきい値と比較して、反射信号の強度が低しきい値より小さいかどうかを判断する。
【００７７】
ブロックＳ５４０において、第２の信号受信部に受信された反射信号の強度が第１の低しきい値より小さい場合、ディスプレイスクリーンはオンにされる。
【００７８】
端末は、第２の信号受信部に受信された反射信号の強度が第１の低しきい値より小さいと判断した場合、外部物体が端末から遠く離れていると判断する。つまり、端末と外部物体とが遠離状態にあり、端末のディスプレイスクリーンがオンにされる。
【００７９】
図９に示すように、反射信号の強度が第１の低しきい値より小さいと、ディスプレイスクリーンがオンにされる前に、ディスプレイスクリーンをオンにする方法はさらに以下の動作ブロックを含む。
【００８０】
ブロックＳ５５０において、第１の信号受信部は、物体によって形成された検出信号の反射信号を受信する。
【００８１】
ブロックＳ５６０において、動作ブロックは、第１の信号受信部に受信された反射信号の強度が第１の高しきい値より大きいかどうかを判断する。ここで第１の高しきい値は第１の低しきい値より大きい。
【００８２】
信号発信部に発信された検出信号が外部物体と接触すると、外部物体が検出信号を反射し反射信号が形成される。第１の信号受信部は反射信号を連続的に受信する。第１の信号受信部は、信号発信部に近い信号受信部である。
【００８３】
第１の信号受信部と信号発信部との間の距離は第２の信号受信部と信号発信部との間の距離とは異なるので、信号発信部に発信された検出信号は同じ外部の物体に反射されると、第１の信号受信部に受信された反射信号は、第２の信号受信部に受信された反射信号の強度とは異なる。
【００８４】
一実施形態では、第１の信号受信部に対し、低しきい値および高しきい値を端末で設定することができる。高しきい値は第１の高しきい値である。第１の高しきい値は第１の低しきい値より大きい。低しきい値および高しきい値は信号強度値であり得る。第１の信号受信部の異なるタイプにより、低しきい値及び高しきい値は異なってもよい。第１の信号受信部が８ビット受信チップであるとき、低しきい値はゼロであり、高しきい値は８０である。
【００８５】
第１の信号受信部が反射信号を受信した後、端末は受信された反射信号の強度を高しきい値と比較して、反射信号の強度が高しきい値より大きいかどうかを判断する。
【００８６】
実施形態では、反射信号の強度が第１の低しきい値より小さい場合、ディスプレイスクリーンをオンにする動作ブロックは以下の動作ブロックを含む。
【００８７】
ブロックＳ５４１において、第２の信号受信部に受信された反射信号の強度が第１の低しきい値よりも小さく、かつ第１の信号受信部に受信された反射信号の強度が第１の高しきい値よりも大きい場合、ディスプレイスクリーンがオンにされる。
【００８８】
端末は、第２の信号受信部に受信された反射信号の強度を第１の低しきい値と比較し、第１の信号受信部に受信された反射信号の強度を第１の高しきい値と比較する。第２の信号受信部に受信された反射信号の強度が第１の低しきい値よりも小さく、かつ第１の信号受信部に受信された反射信号の強度が第１の高しきい値よりも大きいとき、端末は外部物体が端末から遠く離れていると判断するため、端末のディスプレイスクリーンがオンにされる。
【００８９】
例えば、第２の信号受信部に受信された反射信号の強度（例えば、６０）が第１の低しきい値（例えば、７５）よりも小さく、かつ第１の信号受信部に受信された反射信号の強度（例えば、９０）が第１の高しきい値（例えば、８０）より大きい場合、端末は端末のディスプレイスクリーンを制御し、ディスプレイスクリーンをオンにする。
【００９０】
実施形態では、第１の信号受信部に受信された反射信号の強度が第１の高しきい値より大きいかどうかを判定した後、ディスプレイスクリーンをオンにする方法はさらに以下の動作ブロックを含む。
【００９１】
ブロックＳ５７０において、第１の信号受信部に受信された反射信号の強度が第１の高しきい値の以下である場合、第１の信号受信部の低しきい値は第２の低しきい値に修正される。ここ、第２の低しきい値が第１の高しきい値より小さい。
【００９２】
ブロックＳ５８０において、この動作は、第１の信号受信部に受信された反射信号の強度が第２の低しきい値より小さいかどうかを判定する。
【００９３】
第１の信号受信部に受信された反射信号の強度が第２の低しきい値よりも小さい場合、第１の信号受信部および第２の信号受信部は、検出光を外部の物体に反射されてなる反射信号を再び受信する。
【００９４】
端末は、第１の信号受信部に受信された反射信号の強度が第１の高しきい値以下（すなわち、より小さいまたは等しい）であると判断した場合、第１の信号受信部の高しきい値および低しきい値を修正する。修正後の低しきい値は第２の低しきい値である。修正後の低しきい値は第１の高しきい値よりも小さい。
【００９５】
例えば、端末は、第１の信号受信部に受信された反射信号の強度が第１の高しきい値以下であると判断した場合、第１の信号受信部の低しきい値をゼロから６０に修正し、第１の信号受信部の高しきい値を８０から１２０に修正する。
【００９６】
その後、端末は、第１の信号受信部に受信された反射信号の強度が第２の低しきい値より小さいかどうかを判定する。反射信号の強度が第２の低しきい値より小さい場合、第１の信号受信部および第２の信号受信部は、検出光を外部の物体に反射されてなる反射信号を再び受信する。端末は反射信号を受信した後に再度判定を行う。つまり、端末は、動作ブロックＳ５２０、Ｓ５３０、Ｓ５５０、およびＳ５６０を実行する。
【００９７】
図１０に示すように、ディスプレイスクリーンをオフにする方法は、以下の動作ブロックを含む。
【００９８】
ブロックＳ６１０において、ディスプレイスクリーンがオン状態にあるとき、信号発信部は検出信号を外部に発信する。
【００９９】
端末はディスプレイスクリーンを備える。端末のディスプレイスクリーンがオン状態のとき、端末は、検出信号を外部に発信するように信号発信部を制御する。例えば、通信プロセスにおいて、端末はユーザの顔に近づいていないうちに、端末のディスプレイスクリーンがオンの状態にあり、端末は、信号発信部を制御して検出信号を外部に発信させる。
【０１００】
ブロックＳ６２０において、第２の信号受信部は、外部物体によって形成された検出信号の反射信号を受信する。
【０１０１】
信号発信部に発信された検出信号が外部物体と接触するとき、外部物体が検出信号を反射して反射信号が形成される。第２の信号受信部は反射信号を連続的に受信する。第２の信号受信部は信号発信部から遠く離れた信号受信部である。
【０１０２】
ブロックＳ６３０において、本方法は、第２の信号受信部に受信された反射信号の強度が第２の高しきい値より大きいかどうかを判定する。
【０１０３】
一実施形態では、第２の信号受信部に対し、低しきい値および高しきい値を端末で設定することができる。高しきい値は第２の高しきい値である。低しきい値および高しきい値は信号強度値であり得る。第２の信号受信部の異なるタイプにより、低しきい値及び高しきい値は異なってもよい。例えば、第２の信号受信部が８ビット受信チップであるとき、低しきい値はゼロであり、高しきい値は１００である。
【０１０４】
第２の信号受信部が反射信号を受信した後、端末は受信された反射信号の強度を高しきい値と比較して、反射信号の強度が高しきい値より大きいかどうかを判断する。
【０１０５】
ブロックＳ６４０において、第２の信号受信部に受信された反射信号の強度が第２の高しきい値より大きい場合、ディスプレイスクリーンはオフにされる。
【０１０６】
第２の信号受信部に受信された反射信号の強度が高しきい値（例えば、第２の高しきい値）より大きいと端末が判定した場合、端末は外部物体が端末に近いと判定する。つまり、端末と外部物体とが近接した状態となり、端末のディスプレイスクリーンがオフにされる。
【０１０７】
本開示の実施形態はさらに、ディスプレイスクリーン状態を制御する装置に関する。ディスプレイスクリーン状態を制御する装置は、端末と外部物体との間の距離状態によってディスプレイスクリーンの状態を制御する。距離状態は遠距離状態と近接距離状態を含む。ディスプレイスクリーン状態は、オン状態とオフ状態とを含む。
【０１０８】
ディスプレイスクリーン状態を制御する装置は、ディスプレイスクリーンをオンにする装置とディスプレイスクリーンをオフにする装置を備える。ディスプレイスクリーンをオンにする装置は、端末と外部物体（７０）とが遠く離れた状態にあるときに端末のディスプレイスクリーンをオンにするように構成される。ディスプレイスクリーンをオフにする装置は、端末と外部物体（７０）とが近接状態にあるときに端末のディスプレイスクリーンをオフにするように構成される。
【０１０９】
図１１に示すように、ディスプレイスクリーンをオンにする装置７００は、第１の制御ユニット７０１、第２の制御ユニット７０２、第１の判定ユニット７０３、および第３の制御ユニット７０４を備える。
【０１１０】
ユニット７０１は、ディスプレイスクリーンがオフ状態のときに、検出信号を外部に発信する信号発信部を制御するように構成されている。
【０１１１】
端末はディスプレイスクリーンを有する。端末のディスプレイスクリーンがオフ状態のとき、第１の制御ユニット７０１は、検出信号を外部に発信するように発信部を制御する。例えば、通信プロセスにおいて、端末がユーザの顔に接近しており、端末のディスプレイスクリーンがオフの状態にあり、第１の制御ユニット７０１が信号発信部を制御して検出信号を外部に発信させる。
【０１１２】
第２の制御ユニット７０２は、外部物体により形成された検出信号の反射信号を受信する第２の信号受信部を制御するように構成されている。
【０１１３】
一実施形態では、信号発信部に発信された検出信号が外部物体と接触すると、外部物体が検出信号を反射し反射信号が形成される。第２の制御ユニット７０２は、反射信号を連続して受信する第２の信号受信部を制御する。第２の信号受信部は信号発信部から遠く離れた信号受信部である。
【０１１４】
第１の判定ユニット７０３は、第２の信号受信部に受信された反射信号の強度が第１の低しきい値より小さいかどうかを判定するように構成される。
【０１１５】
一実施形態では、第２の信号受信部に対し、低しきい値および高しきい値を端末で設定することができる。低しきい値が第１の低しきい値である。低しきい値および高しきい値は信号強度値であり得る。第２の信号受信部の異なるタイプにより、低しきい値及び高しきい値は異なってもよい。例えば、第２の信号受信部が８ビット受信チップである場合、低しきい値は７５であり、高しきい値は２５６である（即ち、チップの受信レンジ）。
【０１１６】
第２の信号受信部が反射信号を受信した後、第１の判定ユニット７０３は受信された反射信号の強度を低しきい値と比較して、反射信号の強度が低しきい値より小さいかどうかを判定する。
【０１１７】
第３の制御ユニット７０４は、第２の信号受信部に受信された反射信号の強度が第１の低しきい値より小さい場合、ディスプレイスクリーンを制御してディスプレイスクリーンをオンにするように構成される。
【０１１８】
第２の信号受信部に受信された反射信号の強度が第１の低しきい値より小さいと第１の判定ユニット７０３が判定した場合、端末は外部物体が端末から遠く離れていると判定する。つまり、端末と外部とが遠離状態にあるため、第３の制御ユニット７０４は端末のディスプレイスクリーンを制御してディスプレイスクリーンをオンさせる。
【０１１９】
実施形態において、図１２に示すように、ディスプレイスクリーンをオンにする装置７００は、第４の制御ユニット７０５と第２の判定ユニット７０６とをさらに有する。
【０１２０】
第４の制御ユニット７０５は、物体により形成された検出信号の反射信号を受信する第１の信号受信部を制御するように構成されている。
【０１２１】
第２の判定ユニット７０６は、第１の信号受信部に受信された反射信号の強度が第１の高しきい値より大きいかどうかを判定するように構成される。ここで第１の高しきい値は第１の低しきい値より大きい。
【０１２２】
信号発信部に発信された検出信号が外部物体と接触すると、外部物体が検出信号を反射し反射信号が形成される。第４の制御ユニット７０５は、反射信号を連続的に受信する第１の信号受信部を制御する。第１の信号受信部は、信号発信部に近接する信号受信部である。
【０１２３】
第１の信号受信部と信号発信部との間の距離は第２の信号受信部と信号発信部との間の距離とは異なるので、信号発信部に発信された検出信号は同じ外部物体によって反射されると、第１の信号受信部に受信された反射信号は、第２の信号受信部に受信された反射信号の強度とは異なる。
【０１２４】
一実施形態では、第１の信号受信部に対し、低しきい値および高しきい値を端末で設定することができる。高しきい値は第１の高しきい値である。第１の高しきい値は第１の低しきい値より大きい。低しきい値および高しきい値は信号強度値であり得る。第１の信号受信部の異なるタイプにより、低しきい値及び高しきい値は異なってもよい。第１の信号受信部が８ビット受信チップであるとき、低しきい値はゼロであり、高しきい値は８０である。
【０１２５】
第１の信号受信部が反射信号を受信した後、第２の判定ユニット７０６は、反射信号の強度が高しきい値より大きいかどうかを判定するために、受信された反射信号の強度を高しきい値と比較する。
【０１２６】
実施形態において、第３の制御ユニット７０４は以下の動作を実行する。
【０１２７】
第２の信号受信部に受信された反射信号の強度が第１の低しきい値よりも小さく、且つ第１の信号受信部に受信された反射信号の強度が第１の高しきい値よりも大きい場合、ディスプレイスクリーンはオンにされる。
【０１２８】
第１の判定ユニット７０３は、第２の信号受信部が受信した反射信号の強度と第１の低しきい値とを比較し、第２の判定ユニット７０６は、第１の信号受信部が受信した反射信号の強度を第１高しきい値と比較する。第２の信号受信部に受信された反射信号の強度が第１の低しきい値よりも小さく、かつ第１の信号受信部に受信された反射信号の強度が第１の高しきい値よりも大きいとき、端末は外部物体が端末から遠く離れていると判定するため、第３の制御ユニット７０４は端末のディスプレイスクリーンを制御してディスプレイスクリーンをオンさせる。
【０１２９】
例えば、第２の信号受信部に受信された反射信号の強度（例えば、６０）が第１の低しきい値（例えば、７５）よりも小さく、且つ第１の信号受信部に受信された反射信号の強度（例えば、９０）が第１の高しきい値（例えば、８０）より大きい場合、第３の制御ユニット７０４は端末のディスプレイスクリーンを制御し、ディスプレイスクリーンをオンにする。
【０１３０】
実施形態において、図１３に示すように、ディスプレイスクリーンオンにする装置７００は、修正ユニット７０７、第３の判定ユニット７０８、及び第５の制御ユニット７０９をさらに備える。
【０１３１】
修正ユニット７０７は、第１の信号受信部に受信された反射信号の強度が第１の高しきい値以下である場合、第１の信号受信部の低しきい値を第２の低しきい値に修正するように構成される。ここ、第２の低しきい値は第１の高しきい値よりも小さい。
【０１３２】
第３の判定ユニット７０８は、第１の信号受信部に受信された反射信号の強度が第２の低しきい値より小さいかどうかを判定するように構成される。
【０１３３】
第５の制御ユニット７０９は、第１の信号受信部に受信された反射信号の強度が第２の低しきい値よりも小さい場合に、第１の信号受信部および第２の信号受信部が、検出光を外部の物体に反射されてなる反射信号を再び受信するように制御する。
【０１３４】
第１の信号受信部が受信した反射信号の強度が第１の高しきい値以下（より小さいまたは等しい）であると第２の判定ユニット７０６が判定した場合、修正ユニット７０７は、第１の信号受信部の高しきい値および低しきい値を修正する。修正後の低しきい値は第２の低しきい値である。修正後の低しきい値は第１の高しきい値よりも小さい。
【０１３５】
例えば、第２の判定ユニット７０６が第１の信号受信部に受信された反射信号の強度が第１の高しきい値以下であると判定した場合、修正ユニット７０７は第１の信号受信部の低しきい値をゼロから６０に修正する。第１の信号受信部の高しきい値を８０から１２０に修正する。
【０１３６】
その後、第３の判定ユニット７０８は、第１の信号受信部に受信された反射信号の強度が第２の低しきい値よりも小さいかどうかを判定する。反射信号の強度が第２の低しきい値よりも小さい場合、第５の制御ユニット７０９は、第１の信号受信部および第２の信号受信部が検出光が外部の物体に反射されてなる反射信号を再び受信するように制御する。第１の判定ユニット７０３および第２の判定ユニット７０６は、反射信号が受信された後に再度判定を行う。
【０１３７】
図１４に示すように、ディスプレイスクリーンをオフにする装置は、第６の制御ユニット８０１と、第７の制御ユニット８０２と、第４の判定ユニット８０３と、第８の制御ユニット８０４とを備える。
【０１３８】
第６の制御ユニット８０１は、ディスプレイスクリーンがオン状態のときに検出信号を外部に発信する信号発信部を制御するように構成されている。
【０１３９】
端末はディスプレイスクリーンを備える。端末のディスプレイスクリーンがオン状態のとき、端末は、検出信号を外部に発信するように信号発信部を制御する。例えば、通信プロセスにおいて、端末はユーザの顔に近づいておらず、端末のディスプレイスクリーンがオンの状態にあり、第６の制御ユニット８０１は、信号発信部を制御して検出信号を外部に発信させる。
【０１４０】
第７の制御ユニット８０２は、外部の物体により形成された検出信号の反射信号を受信する第２の信号受信部を制御するように構成されている。
【０１４１】
信号発信部に発信された検出信号が外部物体と接触すると、外部物体が検出信号を反射して反射信号が形成される。第７の制御ユニット８０２は、反射信号を連続的に受信する第２の信号受信部を制御する。第２の信号受信部は信号発信部から遠く離れた信号受信部である。
【０１４２】
第４の判定ユニット８０３は、第２の信号受信部に受信された反射信号の強度が第２の高しきい値より大きいかどうかを判定するように構成される。
【０１４３】
一実施形態では、第２の信号受信部に対し、低しきい値および高しきい値を端末で設定することができる。高しきい値は第２の高しきい値である。低しきい値および高しきい値は信号強度値であり得る。第２の信号受信部の異なるタイプにより、低しきい値及び高しきい値は異なってもよい。例えば、第２の信号受信部が８ビット受信チップであるとき、低しきい値はゼロであり、高しきい値は１００である。
【０１４４】
第２の信号受信部が反射信号を受信した後、第４の判定ユニット８０３は、受信された反射信号の強度を高しきい値と比較して、反射信号の強度が高しきい値より大きいかどうかを判断する。
【０１４５】
第８の制御ユニット８０４は、第２の信号受信部が受信した反射信号の強度が第２の高しきい値より大きい場合、ディスプレイスクリーンを制御してディスプレイスクリーンをオフさせる。
【０１４６】
端末は、第２の信号受信部が受信した反射信号の強度が高しきい値より大きいと第８の制御ユニット８０４が判定した場合、外部物体が端末に接近していると判定する。つまり、端末と外部物体とが近接した状態にあるため、第８の制御ユニット８０４は端末のディスプレイスクリーンを制御してディスプレイスクリーンをオフさせる。
【０１４７】
本開示の明細書において、「一実施形態」、「特定の実施形態」、「例示的な実施形態」、「いくつかの実施形態」、「例」、「特定の例」、または「いくつかの例」などの用語が参照される。当該実施形態または実施例と併せて説明された特定の特徴、構造、材料または特性が本発明の少なくとも１つの実施形態または実施例に含まれたと意味する。本開示において、用語の概略的表現は必ずしも同じ実施形態または実施例を参照していない。さらに、説明された特定の特徴、構造、材料、または特徴は、本開示の任意の１つまたは複数の実施形態または例において任意の適切な方法で組み合わせることができる。本明細書において、上記用語についての例示的な表現は、必ずしも同じ実施形態または実施例を指すものではない。また、説明された特定の特徴、構造、材料または特性は、いずれかまたは複数の実施形態または実施例において適切に結合されることが可能である。本開示の実施形態によって開示された方法の動作は、ハードウェア復号化プロセッサが直接ハードウェア復号化プロセッサによって、または復号化プロセッサ内のハードウェアおよびソフトウェアコードの組み合わせによって直接実行され得るように具体化され得る。ソフトウェアコードは、ランダムアクセスメモリ、フラッシュメモリ、読み出し専用メモリ、プログラマブル読み出し専用メモリ、電気的消去可能プログラマブルメモリ、およびレジスタから選択された記憶媒体に格納することができる。プロセッサは、メモリ内の情報（例えばインストラクション）を読み取り、ハードウェアと組み合わせて本方法の上述の動作を完成させる。
【０１４８】
当業者に理解されるように、本開示の前述の好ましい実施形態は、本開示を限定するのではなく例示的である。本開示の趣旨および範囲内に含まれるさまざまな修正および類似的な構成をカバーすることを意図しており、その範囲は、そのようなすべての修正および類似的な構造を含むように最も広い解釈に準じるべきである。
【図１】
0006831016.tif 000002
【図２】
0006831016.tif 000003
【図３】
0006831016.tif 000004
【図４】
0006831016.tif 000005
【図５】
0006831016.tif 000006
【図６】
0006831016.tif 000007
【図７】
0006831016.tif 000008
【図８】
0006831016.tif 000009
【図９】
0006831016.tif 000010
【図１０】
0006831016.tif 000011
【図１１】
0006831016.tif 000012
【図１２】
0006831016.tif 000013
【図１３】
0006831016.tif 000014
【図１４】
0006831016.tif 000015